(57)【要約】【課題】  出先に持参したビデオ電話機能付の第２の携帯電話機にて、リアルタイムにテレビ放送等の映像を少なくとも視ることが可能となる、ビデオ電話機能付の第１の携帯電話機を得る。【解決手段】  外部から映像信号を逐次受信するチューナ信号受信部２２と、チューナ信号受信部２２で受信した映像信号を符号化する映像エンコード部５１と、映像信号エンコード部５１で符号化された映像信号を、第２の携帯電話機４に逐次送信する送信部（送信制御部６５、無線処理部１２、アンテナ部１１）とを備える。【選択図】  図１
2005151443.tif 000002
【特許請求の範囲】
【請求項１】
外部から映像信号を逐次受信する第１受信手段と、
前記第１受信手段で受信した映像信号を符号化する映像信号符号化手段と、
前記映像信号符号化手段で符号化された映像信号を、他のビデオ電話機能付情報機器に逐次送信する送信手段とを備えることを特徴とするビデオ電話機能付情報機器。
【請求項２】
前記第１受信手段は、さらに、外部から音声信号を逐次受信すると共に、
前記第１受信手段で受信した音声信号を符号化する音声信号符号化手段を備え、
前記送信手段は、前記音声信号符号化手段で符号化された音声信号と、前記映像信号符号化手段で符号化された映像信号とを多重化した多重化信号を、前記他のビデオ電話機能付情報機器に逐次送信することを特徴とする請求項１記載のビデオ電話機能付情報機器。
【請求項３】
前記第１受信手段が逐次受信する映像信号は、テレビ放送の映像信号であることを特徴とする請求項１または２記載のビデオ電話機能付情報機器。
【請求項４】
前記第１受信手段が逐次受信する映像信号および音声信号は、それぞれ、テレビ放送の映像信号および音声信号であることを特徴とする請求項２記載のビデオ電話機能付情報機器。
【請求項５】
前記テレビ放送の映像信号および音声信号を出力する装置を信号出力装置とすると、
前記第１受信手段は、前記信号出力装置から受信した映像信号および音声信号に対して、所定の信号処理を行うインターフェイス手段を備えることを特徴とする請求項４記載のビデオ電話機能付情報機器。
【請求項６】
前記テレビ放送の映像信号および音声信号を出力する装置を信号出力装置とすると、
クレードルに通信可能に接続されると共に、
前記第１受信手段は、前記信号出力装置の出力に基づく映像信号および音声信号であって、前記クレードルにおいて所定の信号処理がなされた映像信号および音声信号を、クレードルを介して受信することを特徴とする請求項４記載のビデオ電話機能付情報機器。
【請求項７】
前記他のビデオ電話機能付情報機器から発信されたデータ信号を受信する第２受信手段を備え、
前記第２受信手段が前記データ信号を受信した場合に、前記送信手段は、前記多重化信号を、前記他のビデオ電話機能付情報機器に送信することを特徴とする請求項４から６の何れか１項に記載のビデオ電話機能付情報機器。
【請求項８】
前記第２受信手段で受信した前記データ信号から、前記他のビデオ電話機能付情報機器を個々に特定可能な識別情報を取得して、この取得した識別情報に基づいて前記他のビデオ電話機能付情報機器が所定の他のビデオ電話機能付情報機器であるかを認証する認証手段を備え、
前記認証手段で所定の他のビデオ電話機能付情報機器であると認証された場合に、前記送信手段は、前記多重化信号を、他のビデオ電話機能付情報機器に送信することを特徴とする請求項７記載のビデオ電話機能付情報機器。
【請求項９】
前記信号出力装置に対して、該信号出力装置の動作に関する指示データを送信する動作指示手段を備えることを特徴とする請求項７または８記載のビデオ電話機能付情報機器。
【請求項１０】
前記第２受信手段が、前記他のビデオ電話機能付情報機器からテレビチャネルの切換えに関するデータ信号を受信したとき、前記動作指示手段が、前記受信したデータ信号に応じて、テレビチャネルを切換える指示を含む指示データを送信することを特徴とする請求項９記載のビデオ電話機能付情報機器。
【請求項１１】
前記第２受信手段が、前記他のビデオ電話機能付情報機器より前記データ信号を受信したとき、前記動作指示手段が、前記信号出力装置の電源をオンする指示を含む指示データを送信することを特徴とする請求項９記載のビデオ電話機能付情報機器。
【請求項１２】
前記第２受信手段が、前記他のビデオ電話機能付情報機器より前記データ信号を受信しなくなったとき、前記動作指示手段が、前記信号出力装置の電源をオフする指示を含む指示データを送信することを特徴とする請求項９記載のビデオ電話機能付情報機器。
【請求項１３】
少なくとも、前記他のビデオ電話機能付情報機器からの映像信号に基づいて画像を表示する表示手段と、
少なくとも、前記他のビデオ電話機能付情報機器からの音声信号に基づいて音声を出力する音声出力手段と、
前記映像信号に基づく画像の表示、および、前記音声信号に基づく音声の出力を行うか否かを制御する出力制御手段とを備えることを特徴とする請求項１から１２の何れか１項に記載のビデオ電話機能付情報機器。
【請求項１４】
前記ビデオ電話機能付情報機器が、携帯型通信端末であることを特徴とする請求項１から１３の何れか１項に記載のビデオ電話機能付情報機器。
【請求項１５】
前記ビデオ電話機能付情報機器が、携帯電話機であることを特徴とする請求項１から１３の何れか１項に記載のビデオ電話機能付情報機器。
【請求項１６】
請求項１記載のビデオ電話機能付情報機器と、
前記ビデオ電話機能付情報機器に対して、映像信号を逐次送信する信号出力装置と、
前記映像信号を、前記ビデオ電話機能付情報機器を介して、逐次受信する他のビデオ電話機能付情報機器とを備えることを特徴とする通信システム。
【請求項１７】
前記信号出力装置が送信する映像信号は、テレビ放送の映像信号であることを特徴とする請求項１６記載の通信システム。
【請求項１８】
請求項２に記載のビデオ電話機能付情報機器と、
前記ビデオ電話機能付情報機器に対して、映像信号および音声信号を逐次送信する信号出力装置と、
前記映像信号および音声信号を、前記ビデオ電話機能付情報機器を介して、逐次受信する他のビデオ電話機能付情報機器とを備えることを特徴とする通信システム。
【請求項１９】
前記信号出力装置が送信する映像および音声信号は、それぞれ、テレビ放送の映像信号および音声信号であることを特徴とする請求項１８記載の通信システム。
【請求項２０】
前記第１受信手段は、前記信号出力装置から受信した映像信号および音声信号に対して、所定の信号処理を行うインターフェイス手段を備えることを特徴とする請求項１９記載の通信システム。
【請求項２１】
請求項６に記載のビデオ電話機能付情報機器と、
前記信号出力装置から送信された映像信号および音声信号に対して所定の信号処理を行うクレードルと、
前記クレードルに対して、映像信号および音声信号を逐次送信する信号出力装置と、
前記クレードルで信号処理された映像信号および音声信号を、前記ビデオ電話機能付情報機器を介して、逐次受信する他のビデオ電話機能付情報機器とを備えることを特徴とする通信システム。
【請求項２２】
前記ビデオ電話機能付情報機器は、
前記他のビデオ電話機能付情報機器から発信されたデータ信号を受信する第２受信手段を備え、
前記第２受信手段が前記データ信号を受信した場合に、前記送信手段は、前記多重化信号を他のビデオ電話機能付情報機器に送信することを特徴とする請求項１８から２１の何れか１項に記載の通信システム。
【請求項２３】
前記ビデオ電話機能付情報機器は、
前記第２受信手段で受信した前記データ信号から、前記他のビデオ電話機能付情報機器を個々に特定可能な識別情報を取得して、この取得した識別情報に基づいて前記他のビデオ電話機能付情報機器が所定の他のビデオ電話機能付情報機器であるかを認証する認証手段を備え、
前記認証手段で所定の他のビデオ電話機能付情報機器であると認証された場合に、前記送信手段は、前記多重化信号を他のビデオ電話機能付情報機器に送信することを特徴とする請求項２２記載の通信システム。
【請求項２４】
外部から映像信号を逐次受信する第１のステップと、
前記受信した映像信号を符号化する第２のステップと、
前記第２のステップで符号化された映像信号を、他のビデオ電話機能付情報機器に逐次送信する第３のステップとを備えることを特徴とするビデオ電話機能付情報機器による通信方法。
【請求項２５】
前記第１のステップで受信する映像信号は、テレビ放送の映像信号であることを特徴とする請求項２４記載のビデオ電話機能付情報機器による通信方法。
【請求項２６】
外部から映像信号および音声信号を逐次受信する第１のステップと、
前記受信した映像信号および音声信号を符号化する第２のステップと、
前記第２のステップで符号化された映像信号および音声信号を多重化して、他のビデオ電話機能付情報機器に逐次送信する第３のステップとを備えることを特徴とするビデオ電話機能付情報機器による通信方法。
【請求項２７】
前記第１のステップで受信する映像信号および音声信号は、ぞれぞれ、テレビ放送の映像信号および音声信号であることを特徴とする請求項２６記載のビデオ電話機能付情報機器による通信方法。
【請求項２８】
請求項２４から２７の何れか１項に記載のビデオ電話機能付情報機器による通信方法をコンピュータに実行させるためのプログラム。
【請求項２９】
請求項２８記載のプログラムを記録した記録媒体。
【発明の詳細な説明】
【技術分野】
【０００１】
本発明は、ビデオ電話通信を行うビデオ電話機能付情報機器、それを備えた通信システム、および、ビデオ電話機能付情報機器による通信方法、プログラム、および、該プログラムを記録した記録媒体に関する。
【背景技術】
【０００２】
従来より、屋外等の様々な場所でテレビ放送を視聴可能とすべく、テレビチューナ（以下、単にチューナとも称する）を内蔵した携帯型テレビが開発されている。しかしながら、この種の携帯型テレビは、チューナを内蔵する必要があるため、小型軽量化が難しくコストアップに繋がるという問題点がある。
【０００３】
そこで、近年、特許文献１に示すように、ネットワークを介することにより、チューナを備えることなく、様々な場所でテレビ放送を視聴可能な放送データ送受信システムが開発されている。
【０００４】
具体的には、上記放送データ送受信システムは、テレビ受像機、インターネット等の広域ネットワーク、携帯型端末装置、および、上記テレビ受像機と広域ネットワークとの接続に用いられるインターフェイスで構成されている。そして、テレビ受像機からのテレビ放送を、広域ネットワークを介して、携帯型端末装置で取得している。これにより、携帯型端末装置では、チューナを備えることなく、テレビ放送を視聴可能としている。
【０００５】
また、特許文献２には、ネットワークを介することにより、携帯電話等の端末機器においてテレビ放送を視聴可能とする映像リピータ、および、この映像リピータを備えたネットワークシステムが開示されている。
【０００６】
具体的には、上記ネットワークシステムにおいては、上記映像リピータをテレビ受像機とネットワークとに接続すると共に、端末機器をネットワークと接続することにより、テレビ受像機からのテレビ放送を端末装置で視聴可能としている。
【０００７】
また、近年、テレビ電話機能を備えた携帯型電話端末（以下、ビデオ電話機能付携帯電話機と称する）が開発されている。なお、ここでテレビ電話機能とは、電話回線を用いて、通話者同士が互いに相手等を画面で確認して通話する機能をいう。
【０００８】
そして、この携帯電話機同士を用いても、以下のようにすれば、テレビ放送の視聴が可能となる。つまり、テレビ電話をかけた相手側の携帯電話機の撮影部（カメラ）で、テレビ受像機の画面に映し出されたテレビ放送を写してもらうと共に、携帯電話機の音声入力部（マイク）でテレビ放送の音声を取得してもらうことにより、テレビ放送の視聴が可能となる。
【特許文献１】特開２００１−２７５０９３号公報（公開日：平成１３年１０月５日）
【特許文献２】特開２００３−２３５４８号公報（公開日：平成１５年１月２４日）
【発明の開示】
【発明が解決しようとする課題】
【０００９】
しかしながら、上記特許文献１はインターネット等の広域ネットワークを利用するものであるが、この構成では、携帯電話の通信網と異なり、アクセスポイントが限定されてしまう。このため、テレビ放送の視聴エリアが限定されてしまうという問題点がある。仮にアクセスポイントから離れた場所から広域ネットワークに接続した場合、例えば営業区域外からであれば通信料金がアップするといった問題もあり、通信場所に少なからず制約を受けることとなる。さらに、上述したように、テレビ受像機を広域ネットワークに接続するために用いるインターフェイスを別途設ける必要がある。
【００１０】
また、上記特許文献２の構成では、専用品である映像リピータを設ける必要がある。
【００１１】
さらに、ビデオ電話機能付携帯電話機同士を用いたテレビ放送の視聴では、テレビ受像機のそばに通話先の相手が必ずいなければならない。そのため、いつでも携帯電話機でテレビ放送を視聴することは困難である。
【００１２】
本願発明は、上記問題点に鑑みなされたものであって、その目的は、ビデオ（テレビ）電話通信を用いることにより、簡易な構成で、出先に持参した他のビデオ電話機能付情報機器にて、リアルタイムにテレビ放送等の映像を少なくとも視ることが可能なビデオ電話機能付携帯電話に代表されるビデオ電話機能付情報機器、それを備える通信システム、および、ビデオ電話機能付情報機器による通信方法、プログラム、および、該プログラムを記録した記録媒体を提供することにある。
【課題を解決するための手段】
【００１３】
本発明に係るビデオ電話機能付情報機器は、上記の課題を解決するため、外部から映像信号を逐次受信する第１受信手段と、前記第１受信手段で受信した映像信号を符号化する映像信号符号化手段と、前記映像信号符号化手段で符号化された映像信号を、他のビデオ電話機能付情報機器に逐次送信する送信手段とを備えることを特徴としている。
【００１４】
本発明に係るビデオ電話機能付情報機器は、上記のビデオ電話機能付情報機器において、前記第１受信手段は、さらに、外部から音声信号を逐次受信すると共に、前記第１受信手段で受信した音声信号を符号化する音声信号符号化手段を備え、前記送信手段は、前記音声信号符号化手段で符号化された音声信号と、前記映像信号符号化手段で符号化された映像信号とを多重化した多重化信号を、前記他のビデオ電話機能付情報機器に逐次送信することを特徴としている。
【００１５】
本発明に係るビデオ電話機能付情報機器は、上記のビデオ電話機能付情報機器において、前記第１受信手段が逐次受信する映像信号は、テレビ放送の映像信号であることを特徴としている。
【００１６】
本発明に係るビデオ電話機能付情報機器は、上記のビデオ電話機能付情報機器において、前記第１受信手段が逐次受信する映像信号および音声信号は、それぞれ、テレビ放送の映像信号および音声信号であることを特徴としている。
【００１７】
本発明に係るビデオ電話機能付情報機器は、上記のビデオ電話機能付情報機器において、前記テレビ放送の映像信号および音声信号を出力する装置を信号出力装置とすると、前記第１受信手段は、前記信号出力装置から受信した映像信号および音声信号に対して、所定の信号処理を行うインターフェイス手段を備えることを特徴としている。
【００１８】
本発明に係るビデオ電話機能付情報機器は、上記のビデオ電話機能付情報機器において、前記テレビ放送の映像信号および音声信号を出力する装置を信号出力装置とすると、クレードルに通信可能に接続されると共に、前記第１受信手段は、前記信号出力装置の出力に基づく映像信号および音声信号であって、前記クレードルにおいて所定の信号処理がなされた映像信号および音声信号を、クレードルを介して受信することを特徴としている。
【００１９】
本発明に係るビデオ電話機能付情報機器は、上記のビデオ電話機能付情報機器において、前記他のビデオ電話機能付情報機器から発信されたデータ信号を受信する第２受信手段を備え、前記第２受信手段が前記データ信号を受信した場合に、前記送信手段は、前記多重化信号を、前記他のビデオ電話機能付情報機器に送信することを特徴としている。
【００２０】
本発明に係るビデオ電話機能付情報機器は、上記のビデオ電話機能付情報機器において、前記第２受信手段で受信した前記データ信号から、前記他のビデオ電話機能付情報機器を個々に特定可能な識別情報を取得して、この取得した識別情報に基づいて前記他のビデオ電話機能付情報機器が所定の他のビデオ電話機能付情報機器であるかを認証する認証手段を備え、前記認証手段で所定の他のビデオ電話機能付情報機器であると認証された場合に、前記送信手段は、前記多重化信号を、他のビデオ電話機能付情報機器に送信することを特徴としている。
【００２１】
本発明に係るビデオ電話機能付情報機器は、上記のビデオ電話機能付情報機器において、前記信号出力装置に対して、該信号出力装置の動作に関する指示データを送信する動作指示手段を備えることを特徴としている。
【００２２】
本発明に係るビデオ電話機能付情報機器は、上記のビデオ電話機能付情報機器において、前記第２受信手段が、前記他のビデオ電話機能付情報機器からテレビチャネルの切換えに関するデータ信号を受信したとき、前記動作指示手段が、前記受信したデータ信号に応じて、テレビチャネルを切換える指示を含む指示データを送信することを特徴としている。
【００２３】
本発明に係るビデオ電話機能付情報機器は、上記のビデオ電話機能付情報機器において、前記第２受信手段が、前記他のビデオ電話機能付情報機器より前記データ信号を受信したとき、前記動作指示手段が、前記信号出力装置の電源をオンする指示を含む指示データを送信することを特徴としている。
【００２４】
本発明に係るビデオ電話機能付情報機器は、上記のビデオ電話機能付情報機器において、前記第２受信手段が、前記他のビデオ電話機能付情報機器より前記データ信号を受信しなくなったとき、前記動作指示手段が、前記信号出力装置の電源をオフする指示を含む指示データを送信することを特徴としている。
【００２５】
本発明に係るビデオ電話機能付情報機器は、上記のビデオ電話機能付情報機器において、少なくとも、前記他のビデオ電話機能付情報機器からの映像信号に基づいて画像を表示する表示手段と、少なくとも、前記他のビデオ電話機能付情報機器からの音声信号に基づいて音声を出力する音声出力手段と、前記映像信号に基づく画像の表示、および、前記音声信号に基づく音声の出力を行うか否かを制御する出力制御手段とを備えることを特徴としている。
【００２６】
本発明に係るビデオ電話機能付情報機器は、上記のビデオ電話機能付情報機器において、前記ビデオ電話機能付情報機器が、携帯型通信端末であることを特徴としている。
【００２７】
本発明に係るビデオ電話機能付情報機器は、上記のビデオ電話機能付情報機器において、前記ビデオ電話機能付情報機器が、携帯電話機であることを特徴としている。
【００２８】
本発明に係る通信システムは、上記の課題を解決するため、外部から映像信号を逐次受信する第１受信手段と、前記第１受信手段で受信した映像信号を符号化する映像信号符号化手段と、前記映像信号符号化手段で符号化された映像信号を、他のビデオ電話機能付情報機器に逐次送信する送信手段とを備えるビデオ電話機能付情報機器と、前記ビデオ電話機能付情報機器に対して、映像信号を逐次送信する信号出力装置と、前記映像信号を、前記ビデオ電話機能付情報機器を介して、逐次受信する他のビデオ電話機能付情報機器とを備えることを特徴としている。
【００２９】
本発明に係る通信システムは、上記の通信システムにおいて、前記信号出力装置が送信する映像信号は、テレビ放送の映像信号であることを特徴としている。
【００３０】
本発明に係る通信システムは、前記第１受信手段が、さらに、外部から音声信号を逐次受信すると共に、前記第１受信手段で受信した音声信号を符号化する音声信号符号化手段を備え、前記送信手段は、前記音声信号符号化手段で符号化された音声信号と、前記映像信号符号化手段で符号化された映像信号とを多重化した多重化信号を、前記他のビデオ電話機能付情報機器に逐次送信するビデオ電話機能付情報機器と、前記ビデオ電話機能付情報機器に対して、映像信号および音声信号を逐次送信する信号出力装置と、前記映像信号および音声信号を、前記ビデオ電話機能付情報機器を介して、逐次受信する他のビデオ電話機能付情報機器とを備えることを特徴としている。
【００３１】
本発明に係る通信システムは、上記の通信システムにおいて、前記信号出力装置が送信する映像および音声信号は、それぞれ、テレビ放送の映像信号および音声信号であることを特徴としている。
【００３２】
本発明に係る通信システムは、上記の通信システムにおいて、前記第１受信手段は、前記信号出力装置から受信した映像信号および音声信号に対して、所定の信号処理を行うインターフェイス手段を備えることを特徴としている。
【００３３】
本発明に係る通信システムは、前記テレビ放送の映像信号および音声信号を出力する装置を信号出力装置とすると、クレードルに通信可能に接続されると共に、前記第１受信手段が、前記信号出力装置の出力に基づく映像信号および音声信号であって、前記クレードルにおいて所定の信号処理がなされた映像信号および音声信号を、クレードルを介して受信するビデオ電話機能付情報機器と、前記信号出力装置から送信された映像信号および音声信号に対して所定の信号処理を行うクレードルと、前記クレードルに対して、映像信号および音声信号を逐次送信する信号出力装置と、前記クレードルで信号処理された映像信号および音声信号を、前記ビデオ電話機能付情報機器を介して、逐次受信する他のビデオ電話機能付情報機器とを備えることを特徴としている。
【００３４】
本発明に係る通信システムは、上記の通信システムにおいて、前記ビデオ電話機能付情報機器は、前記他のビデオ電話機能付情報機器から発信されたデータ信号を受信する第２受信手段を備え、前記第２受信手段が前記データ信号を受信した場合に、前記送信手段は、前記多重化信号を他のビデオ電話機能付情報機器に送信することを特徴としている。
【００３５】
本発明に係る通信システムは、上記の通信システムにおいて、前記ビデオ電話機能付情報機器は、前記第２受信手段で受信した前記データ信号から、前記他のビデオ電話機能付情報機器を個々に特定可能な識別情報を取得して、この取得した識別情報に基づいて前記他のビデオ電話機能付情報機器が所定の他のビデオ電話機能付情報機器であるかを認証する認証手段を備え、前記認証手段で所定の他のビデオ電話機能付情報機器であると認証された場合に、前記送信手段は、前記多重化信号を他のビデオ電話機能付情報機器に送信することを特徴としている。
【００３６】
本発明に係るビデオ電話機能付情報機器による通信方法は、上記の課題を解決するため、外部から映像信号を逐次受信する第１のステップと、前記受信した映像信号を符号化する第２のステップと、前記第２のステップで符号化された映像信号を、他のビデオ電話機能付情報機器に逐次送信する第３のステップとを備えることを特徴としている。
【００３７】
本発明に係るビデオ電話機能付情報機器による通信方法は、上記のビデオ電話機能付情報機器による通信方法において、前記第１のステップで受信する映像信号は、テレビ放送の映像信号であることを特徴としている。
【００３８】
本発明に係るビデオ電話機能付情報機器による通信方法は、上記の課題を解決するため、外部から映像信号および音声信号を逐次受信する第１のステップと、前記受信した映像信号および音声信号を符号化する第２のステップと、前記第２のステップで符号化された映像信号および音声信号を多重化して、他のビデオ電話機能付情報機器に逐次送信する第３のステップとを備えることを特徴としている。
【００３９】
本発明に係るビデオ電話機能付情報機器による通信方法は、上記のビデオ電話機能付情報機器による通信方法において、前記第１のステップで受信する映像信号および音声信号は、ぞれぞれ、テレビ放送の映像信号および音声信号であることを特徴としている。
【００４０】
本発明に係るプログラムは、上記の課題を解決するために、上記ビデオ電話機能付情報機器による通信方法をコンピュータに実行させるためのプログラムである。
【００４１】
本発明に係る記録媒体は、上記の課題を解決するために、上記プログラムを記録した記録媒体である。
【発明の効果】
【００４２】
本発明に係るビデオ電話機能付情報機器は、以上のように、外部から映像信号を逐次受信する第１受信手段と、映像信号符号化手段と、送信手段との有機的な結合により、以下のことが可能となる。
【００４３】
まず、第１受信手段により、外部から映像信号を逐次受信できる。これにより、映像信号を、逐次、ビデオ電話機能付情報機器にて取得できる。そして、映像信号符号化手段により、上記映像信号を、他のビデオ電話機能付情報機器に送信可能となるデータ形式に変換できる。さらに、送信手段により、上記符号化された映像信号を、他のビデオ電話機能付情報機器に逐次送信することができる。それゆえ、外部からの映像信号に基づく信号を、逐次、他のビデオ電話機能付情報機器に対して送信することができる。
【００４４】
したがって、他のビデオ電話機能付情報機器にて、リアルタイムで映像を視ることが可能なビデオ電話機能付情報機器を提供することができるという効果を奏する。
【００４５】
なお、上記ビデオ電話機能付情報機器および他のビデオ電話機能付情報機器とも、それぞれ、携帯型であっても据置型であってもよい。
【００４６】
本発明に係るビデオ電話機能付情報機器は、以上のように、前記第１受信手段は、さらに、外部から音声信号を逐次受信すると共に、前記第１受信手段で受信した音声信号を符号化する音声信号符号化手段を備え、前記送信手段は、前記音声信号符号化手段で符号化された音声信号と、前記映像信号符号化手段で符号化された映像信号とを多重化した多重化信号を、前記他のビデオ電話機能付情報機器に逐次送信するため、以下のことが可能となる。
【００４７】
まず、第１受信手段により、外部から映像信号のみならず音声信号も逐次受信できる。これにより、映像信号および音声信号を、逐次、ビデオ電話機能付情報機器にて取得できる。そして、音声信号符号化手段により、上記音声信号を、他のビデオ電話機能付情報機器に送信可能となるデータ形式に変換できる。さらに、送信手段により、前記音声信号符号化手段で符号化された音声信号と、前記映像信号符号化手段で符号化された映像信号とを多重化した多重化信号を、他のビデオ電話機能付情報機器に逐次送信することができる。それゆえ、上記映像信号および音声信号に基づく信号を、逐次、他のビデオ電話機能付情報機器に対して送信することができる。
【００４８】
したがって、他のビデオ電話機能付情報機器にて、リアルタイムで映像および音声が視聴可能となるビデオ電話機能付情報機器を提供することができるという効果を奏する。
【００４９】
なお、ここでいう「多重化」とは、映像信号と音声信号との両信号を他のビデオ電話機能付情報機器へ送信するとの意味であり、必ずしも２つの信号を１つの信号にする場合に限定されない。例えば各信号用の送受信用インターフェイスを別個に設け、夫々を並行して処理してもよい。
【００５０】
本発明に係るビデオ電話機能付情報機器は、以上のように、前記第１受信手段が逐次受信する映像信号は、テレビ放送の映像信号であることを特徴としている。
【００５１】
それゆえ、他のビデオ電話機能付情報機器にて、リアルタイムでテレビ放送の映像を視ることが可能となるビデオ電話機能付情報機器を提供することができるという効果を奏する。
【００５２】
本発明に係るビデオ電話機能付情報機器は、以上のように、前記第１受信手段が逐次受信する映像信号および音声信号は、それぞれ、テレビ放送の映像信号および音声信号である。
【００５３】
それゆえ、他のビデオ電話機能付情報機器にて、リアルタイムでテレビ放送の映像および音声が視聴可能となるビデオ電話機能付情報機器を提供することができるという効果を奏する。
【００５４】
本発明に係るビデオ電話機能付情報機器は、以上のように、前記テレビ放送の映像信号および音声信号を出力する装置を信号出力装置とすると、前記第１受信手段は、前記信号出力装置から受信した映像信号および音声信号に対して、所定の信号処理を行うインターフェイス手段を備える。
【００５５】
それゆえ、信号出力装置から逐次受信する映像信号および音声信号がアナログ信号の場合であって、かつ、信号出力装置との接続が有線による場合には、インターフェイス手段において所定の処理としてＡ／Ｄ変換を行うことにより、映像信号に基づくデジタルデータを得ることができる。それゆえ、映像信号符号化手段で符号化が可能となるという効果を奏する。
【００５６】
また、信号出力装置から逐次受信する映像信号および音声信号がアナログ信号の場合であって、かつ、信号出力装置との接続が無線による場合には、インターフェイス手段において所定の処理としてＡ／Ｄ変換および無線信号処理を行うことにより、同様に、映像信号符号化手段で符号化が可能となるという効果を奏する。
【００５７】
また、信号出力装置から逐次受信する映像信号および音声信号がデジタル信号の場合であって、かつ、信号出力装置との接続が無線による場合には、インターフェイス手段において所定の処理として無線信号処理を行うことにより、同様に、映像信号符号化手段で符号化が可能となるという効果を奏する。
【００５８】
本発明に係るビデオ電話機能付情報機器は、以上のように、前記テレビ放送の映像信号および音声信号を出力する装置を信号出力装置とすると、クレードルに通信可能に接続されると共に、前記第１受信手段は、前記信号出力装置の出力に基づく映像信号および音声信号であって、前記クレードルにおいて所定の信号処理がなされた映像信号および音声信号を、クレードルを介して受信する。
【００５９】
それゆえ、信号出力装置から出力される映像信号および音声信号がアナログ信号の場合であって、かつ、信号出力装置とクレードルとの接続が有線による場合には、クレードルにおいて所定の処理としてＡ／Ｄ変換を行うことにより、映像信号および音声信号に基づくデジタルデータを、ビデオ電話機能付情報機器で得ることができる。それゆえ、ビデオ電話機能付情報機器にてＡ／Ｄ変換を行う必要がなくなる。
【００６０】
また、信号出力装置から出力される映像信号および音声信号がアナログ信号の場合であって、かつ、信号出力装置とクレードルとの接続が無線による場合には、クレードルにおいて所定の処理としてＡ／Ｄ変換および無線信号処理を行うことにより、映像信号および音声信号に基づくデジタルデータを、ビデオ電話機能付情報機器で得ることができる。それゆえ、ビデオ電話機能付情報機器にてＡ／Ｄ変換および無線信号処理を行う必要がなくなる。
【００６１】
また、信号出力装置から出力される映像信号および音声信号がデジタル信号の場合であって、かつ、信号出力装置とクレードルとの接続が有線による場合には、クレードルにおいて所定の処理として無線信号処理を行うことにより、ビデオ電話機能付情報機器にて無線信号処理を行う必要がなくなる。
【００６２】
したがって、クレードルで所定の信号処理をさせておくことにより、ビデオ電話機能付情報機器で所定の信号処理が不要となり、ビデオ電話機能付情報機器の小型化が図れるという効果を奏する。
【００６３】
また、クレードルによりビデオ電話機能付情報機器に対して電源供給も行うことにより、ビデオ電話機能付情報機器のバッテリー切れが生じることがない。したがって、他のビデオ電話機能付情報機器で長時間に渡りテレビ放送の視聴が可能となるビデオ電話機能付情報機器を提供することができる。さらに、バッテリー充電中という動作が限定された状態でも、遠方から、テレビ放送の映像および音声が鑑賞できるという効果もある。
【００６４】
本発明に係るビデオ電話機能付情報機器は、以上のように、前記他のビデオ電話機能付情報機器から発信されたデータ信号を受信する第２受信手段を備え、前記第２受信手段が前記データ信号を受信した場合に、前記送信手段は、前記多重化信号を、前記他のビデオ電話機能付情報機器に送信するので、他のビデオ電話機能付情報機器から着信があれば、他のビデオ電話機能付情報機器でテレビ放送の視聴が可能となる。
【００６５】
したがって、他のビデオ電話機能付情報機器からビデオ（テレビ）電話をかけるだけで、他のビデオ電話機能付情報機器でテレビ放送の視聴が可能となるという効果を奏する。
【００６６】
本発明に係るビデオ電話機能付情報機器は、以上のように、前記第２受信手段で受信した前記データ信号から、前記他のビデオ電話機能付情報機器を個々に特定可能な識別情報を取得して、この取得した識別情報に基づいて前記他のビデオ電話機能付情報機器が所定の他のビデオ電話機能付情報機器であるかを認証する認証手段を備え、前記認証手段で所定の他のビデオ電話機能付情報機器であると認証された場合に、前記送信手段は、前記多重化信号を、他のビデオ電話機能付情報機器に送信する。
【００６７】
それゆえ、所定の他のビデオ電話機能付情報機器のみが、テレビ放送を視聴可能となる。
【００６８】
したがって、テレビ放送が受信可能となる情報機器の台数や、利用者を制限できるという効果を奏する。
【００６９】
本発明に係るビデオ電話機能付情報機器は、以上のように、前記信号出力装置に対して、該信号出力装置の動作に関する指示データを送信する動作指示手段を備える。
【００７０】
それゆえ、ビデオ電話機能付情報機器から、信号出力装置に対して、例えば、信号出力装置の電源のＯＮ／ＯＦＦ制御、チャンネルの切換え、音声切り替え、明るさ調整といった指示データを送信することができる。
【００７１】
したがって、上記ビデオ電話機能付情報機器から、信号出力装置の操作を行うことができるという効果を奏する。
【００７２】
本発明に係るビデオ電話機能付情報機器は、以上のように、前記第２受信手段が、前記他のビデオ電話機能付情報機器からテレビチャネルの切換えに関するデータ信号を受信したとき、前記動作指示手段が、前記受信したデータ信号に応じて、テレビチャネルを切換える指示を含む指示データを送信する。
【００７３】
それゆえ、他のビデオ電話機能付情報機器において、チャンネルの切換えが可能となる。
【００７４】
したがって、他のビデオ電話機能付情報機器において、好みのテレビ番組を視聴することができるという効果を奏する。
【００７５】
本発明に係るビデオ電話機能付情報機器は、以上のように、前記第２受信手段が、前記他のビデオ電話機能付情報機器より前記データ信号を受信したとき、前記動作指示手段が、前記信号出力装置の電源をオンする指示を含む指示データを送信する。
【００７６】
それゆえ、予め、信号出力装置の電源を入れておく必要がなくなる。
【００７７】
したがって、信号出力装置において省電力化を図れる、ビデオ電話機能付情報機器を提供することができるという効果を奏する。
【００７８】
本発明に係るビデオ電話機能付情報機器は、上記のビデオ電話機能付情報機器において、前記第２受信手段が、前記他のビデオ電話機能付情報機器より前記データ信号を受信しなくなったとき、前記動作指示手段が、前記信号出力装置の電源をオフする指示を含む指示データを送信する。
【００７９】
それゆえ、信号出力装置の電源を自動オフすることができる。
【００８０】
したがって、信号出力装置において省電力化を図れる、ビデオ電話機能付情報機器を提供することができるという効果を奏する。
【００８１】
本発明に係るビデオ電話機能付情報機器は、以上のように、少なくとも、前記他のビデオ電話機能付情報機器からの映像信号に基づいて画像を表示する表示手段と、少なくとも、前記他のビデオ電話機能付情報機器からの音声信号に基づいて音声を出力する音声出力手段と、前記映像信号に基づく画像の表示、および、前記音声信号に基づく音声の出力を行うか否かを制御する出力制御手段とを備える。
【００８２】
それゆえ、出力制御手段により、前記映像信号に基づく画像の表示、および、前記音声信号に基づく音声の出力を行うか否かを制御できる。
【００８３】
したがって、他のビデオ電話機能付情報機器にてテレビ放送を視たり、聴いたりする際には、信号出力装置に接続されたビデオ電話機能付情報機器では、映像信号に基づく画像の表示および前記音声信号に基づく音声の出力は必要ないため、これらの表示および音声の出力を停止することで、省電力化を図ることが可能となる。
【００８４】
本発明に係るビデオ電話機能付情報機器は、以上のように、前記ビデオ電話機能付情報機器が、携帯型通信端末である。
【００８５】
それゆえ、可搬性を有する通信端末を、上記情報機器として利用可能となるという効果を奏する。
【００８６】
本発明に係るビデオ電話機能付情報機器は、以上のように、前記ビデオ電話機能付情報機器が、携帯電話機である。
【００８７】
それゆえ、可搬性を有する携帯電話機を、上記情報機器として利用可能となるという効果を奏する。
【００８８】
本発明に係る通信システムは、上記の課題を解決するため、外部から映像信号を逐次受信する第１受信手段と、前記第１受信手段で受信した映像信号を符号化する映像信号符号化手段と、前記映像信号符号化手段で符号化された映像信号を、他のビデオ電話機能付情報機器に逐次送信する送信手段とを備えるビデオ電話機能付情報機器と、前記ビデオ電話機能付情報機器に対して、映像信号を逐次送信する信号出力装置と、前記映像信号を、前記ビデオ電話機能付情報機器を介して、逐次受信する他のビデオ電話機能付情報機器とを備えることを特徴としている。
【００８９】
まず、ビデオ電話機能付情報機器において、第１受信手段により、外部から映像信号を逐次受信できる。これにより、映像信号を、逐次、ビデオ電話機能付情報機器にて取得できる。そして、ビデオ電話機能付情報機器の映像信号符号化手段により、上記映像信号を、他のビデオ電話機能付情報機器に送信可能となるデータ形式に変換できる。さらに、ビデオ電話機能付情報機器の送信手段により、上記符号化された映像信号を、他のビデオ電話機能付情報機器に逐次送信することができる。それゆえ、ビデオ電話機能付情報機器は、信号出力装置の映像信号に基づく信号を、逐次、他のビデオ電話機能付情報機器に対して送信することができる。
【００９０】
したがって、他のビデオ電話機能付情報機器にて、リアルタイムで映像を視ることが可能な通信システムを提供することができるという効果を奏する。
【００９１】
なお、上記ビデオ電話機能付情報機器および他のビデオ電話機能付情報機器とも、それぞれ、携帯型であっても据置型であってもよい。
【００９２】
本発明に係る通信システムは、上記の通信システムにおいて、前記信号出力装置が送信する映像信号は、テレビ放送の映像信号であることを特徴としている。
【００９３】
それゆえ、他のビデオ電話機能付情報機器にて、リアルタイムでテレビ放送の映像を視ることが可能となる通信システムを提供することができるという効果を奏する。
【００９４】
本発明に係る通信システムは、以上のように、前記第１受信手段が、さらに、外部から音声信号を逐次受信すると共に、前記第１受信手段で受信した音声信号を符号化する音声信号符号化手段を備え、前記送信手段は、前記音声信号符号化手段で符号化された音声信号と、前記映像信号符号化手段で符号化された映像信号とを多重化した多重化信号を、前記他のビデオ電話機能付情報機器に逐次送信するビデオ電話機能付情報機器と、前記ビデオ電話機能付情報機器に対して、映像信号および音声信号を逐次送信する信号出力装置と、前記映像信号および音声信号を、前記ビデオ電話機能付情報機器を介して、逐次受信する他のビデオ電話機能付情報機器とを備える。
【００９５】
まず、ビデオ電話機能付情報機器において、第１受信手段により、外部から映像信号のみならず音声信号も逐次受信できる。これにより、映像信号および音声信号を、逐次、ビデオ電話機能付情報機器にて取得できる。そして、ビデオ電話機能付情報機器の音声信号符号化手段により、上記音声信号を、他のビデオ電話機能付情報機器に送信可能となるデータ形式に変換できる。さらに、ビデオ電話機能付情報機器の送信手段により、前記音声信号符号化手段で符号化された音声信号と、前記映像信号符号化手段で符号化された映像信号とを多重化した多重化信号を、他のビデオ電話機能付情報機器に逐次送信することができる。それゆえ、ビデオ電話機能付情報機器は、信号出力装置の映像信号および音声信号に基づく信号を、逐次、他のビデオ電話機能付情報機器に対して送信することができる。
【００９６】
したがって、他のビデオ電話機能付情報機器にて、リアルタイムで映像および音声が視聴可能となる通信システムを提供することができるという効果を奏する。
【００９７】
なお、ここでいう「多重化」とは、映像信号と音声信号との両信号を他のビデオ電話機能付情報機器へ送信するとの意味であり、必ずしも２つの信号を１つの信号にする場合に限定されない。例えば各信号用の送受信用インターフェイスを別個に設け、夫々を並行して処理してもよい。
【００９８】
本発明に係る通信システムは、以上のように、前記信号出力装置が送信する映像および音声信号は、それぞれ、テレビ放送の映像信号および音声信号である。
【００９９】
それゆえ、他のビデオ電話機能付情報機器にて、リアルタイムでテレビ放送の映像および音声が視聴可能となる通信システムを提供することができるという効果を奏する。
【０１００】
本発明に係る通信システムは、以上のように、前記第１受信手段は、前記信号出力装置から受信した映像信号および音声信号に対して、所定の信号処理を行うインターフェイス手段を備える。
【０１０１】
それゆえ、信号出力装置からビデオ電話機能付情報機器が逐次受信する映像信号および音声信号がアナログ信号の場合であって、かつ、ビデオ電話機能付情報機器と信号出力装置との接続が有線による場合には、インターフェイス手段において所定の処理としてＡ／Ｄ変換を行うことにより、ビデオ電話機能付情報機器において映像信号に基づくデジタルデータを得ることができる。それゆえ、ビデオ電話機能付情報機器において映像信号符号化手段で符号化が可能となるという効果を奏する。
【０１０２】
また、信号出力装置からビデオ電話機能付情報機器が逐次受信する映像信号および音声信号がアナログ信号の場合であって、かつ、信号出力装置との接続が無線による場合には、インターフェイス手段において所定の処理としてＡ／Ｄ変換および無線信号処理を行うことにより、同様に、ビデオ電話機能付情報機器において映像信号符号化手段で符号化が可能となるという効果を奏する。
【０１０３】
また、信号出力装置からビデオ電話機能付情報機器が逐次受信する映像信号および音声信号がデジタル信号の場合であって、かつ、信号出力装置との接続が無線による場合には、インターフェイス手段において所定の処理として無線信号処理を行うことにより、同様に、ビデオ電話機能付情報機器において映像信号符号化手段で符号化が可能となるという効果を奏する。
【０１０４】
本発明に係る通信システムは、以上のように、前記テレビ放送の映像信号および音声信号を出力する装置を信号出力装置とすると、クレードルに通信可能に接続されると共に、前記第１受信手段が、前記信号出力装置の出力に基づく映像信号および音声信号であって、前記クレードルにおいて所定の信号処理がなされた映像信号および音声信号を、クレードルを介して受信するビデオ電話機能付情報機器と、前記信号出力装置から送信された映像信号および音声信号に対して所定の信号処理を行うクレードルと、前記クレードルに対して、映像信号および音声信号を逐次送信する信号出力装置と、前記クレードルで信号処理された映像信号および音声信号を、前記ビデオ電話機能付情報機器を介して、逐次受信する他のビデオ電話機能付情報機器とを備える。
【０１０５】
それゆえ、信号出力装置の出力に基づく映像信号および音声信号がアナログ信号の場合であって、かつ、信号出力装置とクレードルとの接続が有線による場合には、クレードルにおいて所定の処理としてＡ／Ｄ変換を行うことにより、映像信号および音声信号に基づくデジタルデータを、ビデオ電話機能付情報機器で得ることができる。それゆえ、ビデオ電話機能付情報機器にてＡ／Ｄ変換を行う必要がなくなる。
【０１０６】
また、信号出力装置の出力に基づく映像信号および音声信号がアナログ信号の場合であって、かつ、信号出力装置とクレードルとの接続が無線による場合には、クレードルにおいて所定の処理としてＡ／Ｄ変換および無線信号処理を行うことにより、映像信号および音声信号に基づくデジタルデータを、ビデオ電話機能付情報機器で得ることができる。それゆえ、ビデオ電話機能付情報機器にてＡ／Ｄ変換および無線信号処理を行う必要がなくなる。
【０１０７】
また、信号出力装置の出力に基づく映像信号および音声信号がデジタル信号の場合であって、かつ、信号出力装置とクレードルとの接続が有線による場合には、クレードルにおいて所定の処理として無線信号処理を行うことにより、ビデオ電話機能付情報機器にて無線信号処理を行う必要がなくなる。
【０１０８】
したがって、クレードルで所定の信号処理をさせておくことにより、ビデオ電話機能付情報機器で所定の信号処理が不要となり、ビデオ電話機能付情報機器の小型化が図れるという効果を奏する。
【０１０９】
また、クレードルによりビデオ電話機能付情報機器に対して電源供給も行うことにより、ビデオ電話機能付情報機器のバッテリー切れが生じることがない。したがって、他のビデオ電話機能付情報機器から長時間に渡り、テレビ放送の視聴が可能となる。さらに、バッテリー充電中といった、ビデオ電話機能付情報機器の動作が限定された状態においても、他のビデオ電話機能付情報機器でテレビ放送の映像および音声が鑑賞できるという効果もある。
【０１１０】
本発明に係る通信システムは、以上のように、前記ビデオ電話機能付情報機器は、前記他のビデオ電話機能付情報機器から発信されたデータ信号を受信する第２受信手段を備え、前記第２受信手段が前記データ信号を受信した場合に、前記送信手段は、前記多重化信号を他のビデオ電話機能付情報機器に送信する。
【０１１１】
それゆえ、他のビデオ電話機能付情報機器からビデオ電話機能付情報機器に着信があれば、他のビデオ電話機能付情報機器でテレビ放送の視聴が可能となる。
【０１１２】
したがって、他のビデオ電話機能付情報機器からビデオ（テレビ）電話をかけるだけで、他のビデオ電話機能付情報機器でテレビ放送の視聴が可能となるという効果を奏する。
【０１１３】
本発明に係る通信システムは、以上のように、前記ビデオ電話機能付情報機器は、前記第２受信手段で受信した前記データ信号から、前記他のビデオ電話機能付情報機器を個々に特定可能な識別情報を取得して、この取得した識別情報に基づいて前記他のビデオ電話機能付情報機器が所定の他のビデオ電話機能付情報機器であるかを認証する認証手段を備え、前記認証手段で所定の他のビデオ電話機能付情報機器であると認証された場合に、前記送信手段は、前記多重化信号を他のビデオ電話機能付情報機器に送信する。
【０１１４】
それゆえ、所定の他のビデオ電話機能付情報機器のみが、テレビ放送を視聴可能となる。
【０１１５】
したがって、テレビ放送が受信可能となる他のビデオ電話機能付情報機器の台数や、利用者を制限できるという効果を奏する。
【０１１６】
本発明に係るビデオ電話機能付情報機器による通信方法は、以上のように、外部から映像信号を逐次受信する第１のステップと、前記受信した映像信号を符号化する第２のステップと、前記第２のステップで符号化された映像信号を、他のビデオ電話機能付情報機器に逐次送信する第３のステップとを備える。
【０１１７】
まず、第１のステップにより、外部から映像信号を逐次受信できる。これにより、映像信号を、逐次、ビデオ電話機能付情報機器にて取得できる。そして、第２のステップにより、上記映像信号を、他のビデオ電話機能付情報機器に送信可能となるデータ形式に変換できる。さらに、第３のステップにより、上記符号化された映像信号を、他のビデオ電話機能付情報機器に逐次送信することができる。それゆえ、上記映像信号に基づく信号を、逐次、他のビデオ電話機能付情報機器に対して送信することができる。
【０１１８】
したがって、他のビデオ電話機能付情報機器にて、リアルタイムで映像を視ることが可能なビデオ電話機能付情報機器における通信方法を提供することができるという効果を奏する。
【０１１９】
本発明に係るビデオ電話機能付情報機器による通信方法は、以上のように、前記第１のステップで受信する映像信号は、テレビ放送の映像信号である。
【０１２０】
それゆえ、他のビデオ電話機能付情報機器にて、リアルタイムでテレビ放送の映像を視ることが可能となるビデオ電話機能付情報機器による通信方法を提供することができるという効果を奏する。
【０１２１】
本発明に係るビデオ電話機能付情報機器による通信方法は、以上のように、外部から映像信号および音声信号を逐次受信する第１のステップと、前記受信した映像信号および音声信号を符号化する第２のステップと、前記第２のステップで符号化された映像信号および音声信号を多重化して、他のビデオ電話機能付情報機器に逐次送信する第３のステップとを備える。
【０１２２】
まず、第１のステップにより、外部から映像信号および音声信号を逐次受信できる。これにより、映像信号および音声信号を、逐次、ビデオ電話機能付情報機器にて取得できる。そして、第２のステップにより、上記映像信号および音声信号を、他のビデオ電話機能付情報機器に送信可能となるデータ形式に変換できる。さらに、第３のステップにより、上記符号化された映像信号および音声信号を、他のビデオ電話機能付情報機器に逐次送信することができる。それゆえ、映像信号および音声信号に基づく信号を、逐次、他のビデオ電話機能付情報機器に対して送信することができる。
【０１２３】
したがって、他のビデオ電話機能付情報機器にて、リアルタイムでテレビ放送の視聴が可能なビデオ電話機能付情報機器における通信方法を提供することができるという効果を奏する。
【０１２４】
本発明に係るビデオ電話機能付情報機器による通信方法は、以上のように、前記第１のステップで受信する映像信号および音声信号は、ぞれぞれ、テレビ放送の映像信号および音声信号である。
【０１２５】
それゆえ、他のビデオ電話機能付情報機器にて、リアルタイムでテレビ放送の映像および音声が視聴可能となるビデオ電話機能付情報機器による通信方法を提供することができるという効果を奏する。
【０１２６】
本発明に係るプログラムは、以上のように、上記ビデオ電話機能付情報機器による通信方法をコンピュータに実行させるためのプログラムである。
【０１２７】
上記プログラムをコンピュータシステムにロードすることによって、上記ビデオ電話機能付情報機器による通信方法をユーザに提供することが可能となるという効果を奏する。
【０１２８】
本発明に係る記録媒体は、以上のように、上記プログラムを記録した記録媒体である。
【０１２９】
上記記録媒体に記録されているプログラムをコンピュータシステムにロードすることによって、上記ビデオ電話機能付情報機器による通信方法をユーザに提供することが可能となるという効果を奏する。
【０１３０】
なお、上記ビデオ電話機能付情報機器を、コンピュータによって実現してもよく、この場合には、コンピュータを上記各手段として動作させることにより上記ビデオ電話機能付情報機器をコンピュータにて実現させる情報処理プログラム、及びその情報処理プログラムを記録したコンピュータ読み取り可能な記録媒体も、本発明の範疇に入る。
【発明を実施するための最良の形態】
【０１３１】
以下の各実施の形態における説明においては、互いにビデオ電話通信可能なビデオ電話機能付情報機器として、双方のビデオ電話機能付情報機器が携帯電話機である場合を主として説明するが、本発明は、携帯電話機に限定されるものではない。また、双方のビデオ電話機能付情報機器が据置型（携帯電話機等と比較して携帯するのが難しく、可搬性が低い装置）である場合や、一方が携帯型で他方が据え置き型である場合であってもよい。
【０１３２】
〔実施の形態１〕
本発明の一実施形態について図１ないし図５に基づいて説明すると以下の通りである。
【０１３３】
図２は、本発明の実施形態に係る通信システム１の概略構成を示した概略図である。上記通信システム１は、同図に示すとおり、第１のテレビ電話機能付携帯電話機（ビデオ電話機能付情報機器）２、テレビ３、および、第２のテレビ電話機能付携帯電話機（他のビデオ電話機能付情報機器）４を備えている。なお、以下では、第１のテレビ電話機能付携帯電話機２および第２のテレビ電話機能付携帯電話機４を、それぞれ、第１の携帯電話機２、第２の携帯電話機４として記載する。
【０１３４】
上記通信システム１においては、第２の携帯電話機４から第１の携帯電話機２に対してテレビ電話をかけ、両携帯電話機（２・４）間で携帯電話通信網を用いた通信を行う。また、第１の携帯電話機２とテレビ３とは、互いに通信可能に接続されている。なお、接続方法としては、有線でも無線であってもよい。また、詳細については後述するが、テレビ３は、第１の携帯電話機２に対して、映像信号および音声信号を送信する構成となっている。なお、以下の説明においては、一例として、第１の携帯電話機２とテレビ３とが、有線で接続されている場合について説明する。
【０１３５】
図３は、上記通信システム１における第１の携帯電話機２およびテレビ３の機能ブロック図である。
【０１３６】
上記第１の携帯電話機２は、同図に示すとおり、アンテナ部１１、無線処理部１２、制御部１３、電話番号データベース部１４、ＡＶコーデック部１５、表示部（表示手段）１６、音声出力部（音声出力手段）１７、撮影部１８、音声入力部１９、操作部２０、ＩＲ（Infrared）送信部２１、および、チューナ信号受信部（第１受信手段）２２を備えている。また、上記テレビ３は、同図に示すとおり、チューナ部（信号出力装置）３１、表示部３２、および、音声出力部３３を備えている。また、上記チューナ部３１は、ＩＲ受信部３４を備えている。
【０１３７】
アンテナ部１１は、第２の携帯電話機４との通信に用いられる。具体的には、アンテナ部１１は、第２の携帯電話機４からの無線データ（データ信号）の受信、および、第２の携帯電話機４への無線データの送信に用いられるアンテナである。
【０１３８】
無線処理部１２は、アンテナ部１１で受信した第２の携帯電話機４からの無線データに対してデータ処理（無線信号処理）を行うと共に、このデータ処理されたデータを制御部１３に送信する。また、無線処理部１２は、上記制御部１３から送信されるデータに対してデータ処理を行うと共に、そのデータ処理されたデータ（無線データ）を、アンテナ部１１を介して、第２の携帯電話機４へ出力する。
【０１３９】
電話番号データベース部１４は、フラッシュメモリ等の記憶装置で構成される。この電話番号データベース部１４には、予め、ユーザが記憶させた電話番号が記憶されている。
【０１４０】
表示部１６は、例えば、液晶駆動装置および液晶表示パネルを供えた液晶表示装置で構成される。なお、液晶表示装置に限定されず、有機ＥＬ表示装置等であってもよい。この表示部１６は、ＡＶコーデック部１５から出力される映像信号に基づき、画像を表示パネルに表示する。
【０１４１】
音声出力部１７は、Ｄ／Ａ変換器、スピーカー、および、イヤホンで構成される。この音声出力部１７は、ＡＶコーデック部１５から出力される音声信号に基づき、音声を外部に出力する。
【０１４２】
撮影部１８は、図示しない、レンズ、受光素子を備えたＣＣＤ回路、ＣＣＤ駆動部、信号増幅部、Ａ／Ｄ変換部、および、レンズ駆動部により構成されている。そして、この撮影部１８で撮影することにより得られた画像データは、ＡＶコーデック部１５に送信される。
【０１４３】
音声入力部１９は、Ａ／Ｄ変換器およびマイクで構成されている。そして、音声入力部では、このマイクで集音された音声信号が上記Ａ／Ｄ変換器により変換され、その後、ＡＶコーデック部１５に送信される。
【０１４４】
操作部２０は、携帯電話の表面に設けられた複数の操作キーで構成される。この操作キーを用いた入力指令は、一旦、制御部１３に送られる。また、ＩＲ送信部２１は、制御部１３からの指令を受けて、指令に応じた赤外線信号を送信する。
【０１４５】
チューナ信号受信部２２は、コネクタ部２３と、ＩＦ（Interface）部（インターフェイス手段）２４とを備えている。コネクタ部２３は、テレビのチューナ部３１からの映像信号および音声信号を、第１の携帯電話機２に入力するためのコネクタである。また、ＩＦ部２４は、コネクタ部２３を介して得られた、チューナ部３１からの映像信号および音声信号に対して所定の処理を行う。また、ＩＦ部２４は、上記所定の処理を行った後は、逐次映像信号および音声信号に基づくデータをＡＶコーデック部１５に対して送信する。
【０１４６】
例えば、上記チューナ部３１からコネクタ部２３を介して得られる映像信号および音声信号がアナログ信号である場合には、ＩＦ部２４は、このアナログ信号に対してＡ／Ｄ変換を行い、Ａ／Ｄ変換によりデジタル化されたデータをＡＶコーデック部１５に送信する。
【０１４７】
また、テレビ３の表示部３２は、液晶駆動装置および液晶表示パネルを供えた液晶表示装置、あるいは、ＣＲＴ（Cathode Ray Tube、陰極線管（ブラウン管））であってもよい。つまり、電気信号を目に視える像へと変換する装置であればよい。また、この表示部３２は、チューナ部３１から出力される映像信号に基づいて画像を表示する。
【０１４８】
テレビ３の音声出力部３３は、スピーカー等で構成される。この音声出力部３３は、チューナ部３１から出力されるの音声信号に基づいて音声を出力する。
【０１４９】
チューナ部３１は、例えばアナログ方式の場合においては、図示しない受信アンテナで受信したＶＨＦ帯またはＵＨＦ帯のテレビ高周波信号から希望するチャンネル信号を選択し、映像信号および音声信号を、それぞれ所定の中間周波数の信号に変換する。その後、チューナ部３１は、上記中間周波数の信号を増幅して外部へ出力する。
【０１５０】
本実施の形態では、このチューナ部３１から出力された映像信号および音声信号を取得すべく、上記第１の携帯電話機２のコネクタ部２３とチューナ部３１の図示しないコネクタとを、ＲＧＢケーブルにて接続している。なお、これに限定されず、ＵＳＢケーブルやＩＥＥＥケーブルであってもよい。これらは、チューナ部３１のコネクタ形状、第１の携帯電話機２におけるコネクタ部２３のコネクタ形状に応じて適宜選択すればよい。また、チューナ部３１とコネクタ部２３との間にＲＧＢ方式からＵＳＢ方式に変換する変換アダプタを設置して、チューナ部３１とコネクタ部２３とを接続してもよい。
【０１５１】
また、チューナ部３１のＩＲ受信部３４は、第１の携帯電話機２のＩＲ送信部２１から出力される赤外線信号を受信する。そして、ＩＲ受信部３４が上記赤外線信号を受信した場合には、該赤外線信号に応じて、例えば選択されているチャンネルの切換え、チューナ部３１の電源のＯＮ／ＯＦＦ等を行う。なお、これらの切換処理、電源のＯＮ／ＯＦＦ等については、後述する。
【０１５２】
次に、上記ＡＶコーデック部１５について説明する。図１は、ＡＶコーデック部１５の機能ブロック図である。また、同図は、ＡＶコーデック部１５の各機能ブロックと、外部の機能ブロックとの接続関係をも示している。
【０１５３】
ＡＶコーデック部１５は、同図に示すとおり、映像エンコード部（映像信号符号化手段）５１、音声エンコード部（音声信号符号化手段）５２、多重化処理部５３、分離処理部５４、映像デコード部５５、および、音声デコード部５６を備えている。
【０１５４】
映像エンコード部５１は、撮影部１８およびＩＦ部２４から入力された映像データを符号化するものであり、音声エンコード部５２は、音声入力部１９およびＩＦ部２４から入力された音声データを符号化するものである。多重化処理部５３は、映像エンコード部５１および音声エンコード部５２にて符号化された映像データおよび音声データを多重化し、多重化されたデータであるＡＶストリームデータを制御部１３に出力するものである。
【０１５５】
一方、分離処理部５４は、無線処理部を介して制御部１３から入力されたＡＶストリームデータを、符号化された映像データおよび音声データに分離するものである。映像デコード部５５は、分離処理部５４にて分離された映像データを復号化し、復号化された映像データを表示部１６に出力するものである。音声デコード部５６は、分離された音声データを復号化し、復号化された音声データを音声出力部１７に出力するものである。
【０１５６】
映像データのコーデック（エンコード化およびデコード化）の例としては、ＩＴＵ−Ｔ  Ｈ．２６３やＭＰＥＧ−４が挙げられる。ここで、ＩＴＵ−Ｔは、International Telecommunications Union Telecommunication Standardization Sectorの略称であり、ＭＰＥＧは、Moving Picture Experts Groupの略称である。また、音声データのコーデックの例としては、ＧＳＭ−ＡＭＲが挙げられる。ここで、ＧＳＭは、Global System for Mobile communicationの略称であり、ＡＭＲは、Adaptive Multirateの略称である。
【０１５７】
次に、制御部１３について説明する。図４は、制御部１３の機能ブロック図である。
【０１５８】
制御部１３は、同図に示すとおり、受信制御部６１、認証部（認証手段）６２、ＩＲ制御部６３、ＡＶ出力制御部（出力制御手段）６４、および、送信制御部（送信制御手段）６５を備えている。
【０１５９】
なお、以下の説明では、上記受信制御部６１と、アンテナ部１１と、無線処理部１２とを併せて、第２の受信部（第２受信手段）と称する。また、上記ＩＲ制御部６３とＩＲ送信部２１とを併せて、動作指示部（動作指示手段）と称する。さらに、上記送信制御部６５と、アンテナ部１１と、無線処理部１２とを併せて、送信部（送信手段）と称する。
【０１６０】
ここで、制御部１３を構成する各機能ブロックの機能および動作について説明する。まず、第２の携帯電話機４から、第１の携帯電話機２に着信があった場合について説明し、次に、上記他の携帯電話機から、テレビのチャネルの切換え指示があった場合について説明する。
【０１６１】
まず、受信制御部６１は、上記無線処理部１２から出力されたデータを受信する。また、受信制御部６１は、上記データに基づき、ビデオ電話機能を用いたビデオ電話の着信か否かを判断する。ここで、第２の携帯電話機４（以下、発信元の携帯電話機とも称する）からビデオ電話着信が有った場合には、受信制御部６１は、認証部６２に対して、受信（着信）データから電話番号データを抽出して該電話番号データを送信する。
【０１６２】
認証部６２は、上記電話番号データが、電話番号データベース部１４に記憶されている電話番号データであるか否かを判断する。ここで、上記電話番号データが電話番号データベース部１４に記憶されている場合には、認証部６２は、受信制御部６１に対して、発信元の携帯電話機が所定の携帯電話機であるとのデータを送信する。このデータを受けた受信制御部６１は、ＩＲ制御部６３に対して、発信元の携帯電話機が所定の携帯電話機であるとのデータを送信する。
【０１６３】
このデータを受信したＩＲ制御部６３は、テレビ３のチューナ部３１の電源をＯＮするためのデータを生成し、該生成したデータをＩＲ送信部２１に送信する。なお、ＩＲ送信部２１は、上記電源をＯＮするためのデータを受信した場合には、このデータを赤外線信号に変換して、チューナ部３１のＩＲ受信部３４に対して出力することとなる。なお、このようにＩＲ受信部３４に対して送信する信号を指示データとも称する。
【０１６４】
また、受信制御部６１は、発信元の携帯電話機に関係なく、発信元の携帯電話機から出力されたＡＶストリームデータ（映像データおよび音声データが多重化されたデータ）をＡＶ出力制御部６４に対して送信する。つまり、所定の携帯電話機でなくても、ＡＶストリームデータを送信する。また、受信制御部６１は、発信元の携帯電話機が所定の携帯電話機である場合には、ＡＶ出力制御部６４に対して、発信元の携帯電話機が所定の携帯電話機であるとのデータを送信する。
【０１６５】
なお、映像データと音声データと多重化したデータを送信しているのは、ビデオ（テレビ）電話機能を用いて、第１の携帯電話機２と他の携帯電話機との間で通信を行っているためであり、例えばビデオ電話機能を利用しない場合には、音声データだけがＡＶ出力制御部６４に送信される。
【０１６６】
ＡＶ出力制御部６４は、該ＡＶ出力制御部６４に入力されたＡＶストリームデータを、ＡＶコーデック部１５の分離処理部５４に対して出力するか否かの切換え処理を行う。
【０１６７】
具体的には、ＡＶ出力制御部６４が、発信元の携帯電話機が所定の携帯電話機であるとのデータを受信した場合には、ＡＶ出力制御部６４は、該ＡＶ出力制御部６４に入力されたＡＶストリームデータの、ＡＶコーデック部１５の分離処理部５４に対する出力を停止する。一方、ＡＶ出力制御部６４が、発信元の携帯電話機が所定の携帯電話機であるとの信号を受信していない場合には、ＡＶ出力制御部６４は、該ＡＶ出力制御部６４に入力されたＡＶストリームデータを、ＡＶコーデック部１５の分離処理部５４に対して出力する。
【０１６８】
このような構成とすることにより、発信元が所定の携帯電話機である場合には、上記表示部１６での画像表示や、音声出力部１７での音声出力が行わないようにすることが可能となる。
【０１６９】
なお、上記の構成に限定されず、ＡＶ出力制御部６４が、発信元の携帯電話機が所定の携帯電話機であるとの信号の受信の有無に関わらず、分離処理部５４に対して、ＡＶストリームデータを送信する構成としてもよい。また、発信元の携帯電話機が所定の携帯電話機であるとの信号を受信した場合であっても、操作部２０からの設定により、ＡＶ出力制御部６４が上記ＡＶストリームデータを出力するようにしてもよい。
【０１７０】
送信制御部６５は、多重化処理部５３から送信されたＡＶストリームデータを受信する。そして、送信制御部６５は、無線処理部１２に対して、上記ＡＶストリームデータを出力する。なお、音声のみの通話を行う際には、送信制御部６５は、無線処理部１２に対して音声データのみを出力する。
【０１７１】
ここで、上記他の携帯電話機から、テレビのチャネルの切換え指示があった場合について説明する。
【０１７２】
受信制御部６１は、上記無線処理部１２から出力されたデータに関し、さらに、このデータが、チューナ部３１のチャネル切換えに関する指令であるか否かを判断する。そして、チャネルの切換えに関する指令であると判断した場合には、ＩＲ制御部６３に対して、このチャネルの切換えに関する指令を送信する。この指令を受信したＩＲ制御部６３は、テレビ３のチューナ部３１のチャネルを切換えるためのデータを生成し、該生成したデータをＩＲ送信部２１に送信する。なお、ＩＲ送信部２１は、上記チャネルを切換えるためのデータを受信した場合には、このデータを赤外線信号に変換して、チューナ部３１のＩＲ受信部３４に対して出力することとなる。
【０１７３】
そして、上記赤外線信号を受信することにより、チューナ部３１で受信しているテレビのチャネルが切り換わることとなる。したがって、発信元の携帯電話機において、所望のチャネルのテレビ放送を視聴できることとなる。
【０１７４】
次に、上記通信システム１の第１の携帯電話機２における通信フローについて、図５に基づいて説明する。
【０１７５】
まず、第２の携帯電話機４から発信されたデータ（発信データ）をアンテナ部１１で一旦受信する（Ｓ１）。Ｓ１の後は、アンテナ部１１で受信したデータを無線処理部１２が取得し、この無線処理部１２で上記データに対して無線信号処理を行う（Ｓ２）。
【０１７６】
Ｓ２の後、無線信号処理されたデータは、無線処理部１２によって、制御部１３内の受信制御部６１に送られる（Ｓ３）。そして、受信制御部６１では、上記無線処理部１２から出力されたデータを受信する（Ｓ４）。Ｓ４の後は、受信制御部６１は、上記データに基づき、ビデオ電話機能を用いたビデオ電話の着信か否かを判断する（Ｓ５）。
【０１７７】
Ｓ５において、受信制御部６１がビデオ電話着信でないと判断した場合には、通常の音声のみによる通話処理が行われる（Ｓ２１）。一方、Ｓ５において、受信制御部６１がビデオ電話着信であると判断した場合には、受信制御部６１は、受信（着信）データから電話番号データを抽出する（Ｓ６）。
【０１７８】
Ｓ６の後は、受信制御部６１は、認証部６２に対して該電話番号データを送信する（Ｓ７）。そして、Ｓ７の後は、認証部６２は、上記電話番号データが、電話番号データベース部１４に記憶されている電話番号データであるか否かを判断する（Ｓ８）。
【０１７９】
Ｓ８において、上記電話番号データが電話番号データベース部１４に記憶されている場合には、認証部６２は、受信制御部６１に対して、発信元の携帯電話機が所定の携帯電話機であるとのデータを送信する（Ｓ９）。
【０１８０】
一方、Ｓ８において、上記電話番号データが電話番号データベース部１４に記憶されていない場合には、認証部６２は、受信制御部６１に対して、発信元の携帯電話機が所定の携帯電話機でないとのデータを送信する（Ｓ２２）。そして、Ｓ２２の後は、発信元の携帯電話機との間で通常のビデオ電話通信が行われる（Ｓ２３）。なお、この場合には、受信制御部６１が受信した映像信号および音声信号（ＡＶストリームデータ）を、受信制御部６１がＡＶ出力制御部６４に送信する。このＡＶストリームデータを受信したＡＶ出力制御部６４は、このデータをＡＶコーデック部１５に送信する。これにより、表示部１６に映像が表示されると共に、音声出力部１７から音声が出力されることとなる。
【０１８１】
Ｓ９の後、上記データを受けた受信制御部６１は、ＩＲ制御部６３に対して、発信元の携帯電話機が所定の携帯電話機であるとのデータを送信する（Ｓ１０）。そして、Ｓ１０の後、上記データを受信したＩＲ制御部６３は、テレビ３のチューナ部３１の電源をＯＮするためのデータを生成し、該生成したデータをＩＲ送信部２１に送信する（Ｓ１１）。
【０１８２】
Ｓ１１の後は、ＩＲ送信部２１は、上記データを赤外線信号に変換して、チューナ部３１のＩＲ受信部３４に対して出力する（Ｓ１２）。そして、Ｓ１２の後は、チューナ信号受信部２２は、テレビ３のチューナ部３１から、テレビ放送の映像信号および音声信号を取得する（Ｓ１３）。
【０１８３】
Ｓ１３の後は、チューナ信号受信部２２内のＩＦ部２４は、上記映像信号および音声信号に対して、Ａ／Ｄ変換処理を行い、両信号をデジタル化する（Ｓ１４）。そして、Ｓ１４の後は、映像エンコード部５１が、上記デジタル化された映像信号（以下、映像データ）に対して符号化処理を行うと共に、音声エンコード部５２が、上記デジタル化された音声信号（以下、音声データ）に対して符号化処理を行う（Ｓ１５）。さらに、Ｓ１５の後は、多重化処理部５３が、上記符号化された映像データと音声データとに対して、多重化処理を行い、ＡＶストリームデータを生成する（Ｓ１６）。
【０１８４】
Ｓ１６の後は、多重化処理部５３が、上記ＡＶストリームデータを、制御部１３内の送信制御部に送信する（Ｓ１７）。そして、Ｓ１７の後は、送信制御部６５は、上記ＡＶストリームデータを、無線処理部１２に送信する（Ｓ１８）。さらに、Ｓ１８の後は、上記ＡＶストリームデータを無線処理部１２が受信すると共に、このＡＶストリームデータに対して無線信号処理を行う（Ｓ１９）。
【０１８５】
Ｓ１９の後は、無線処理部１２が、上記無線信号処理されたＡＶストリームデータを、アンテナ部１１を介して、発信元となる携帯電話機に対して送信する（Ｓ２０）。これにより、発信元となる携帯電話機では、上記ＡＶストリームデータを受信することでテレビ放送を視聴できることとなる。
【０１８６】
ところで、上記の説明においては、テレビ３を挙げて説明したが、これに限定されるものではなく、テレビチューナ（チューナ部３１）を備えた装置であればよい。例えば、ビデオデッキでもよい。また、テレビチューナを備えたパーソナルコンピュータであってもよい。これは、後述する実施の形態２においても同様である。
【０１８７】
また、上記の説明においては、チューナ部３１からの出力を第１の携帯電話機２に入力し、第２の携帯電話機４に送信する構成を示した。しかしながら、第１の携帯電話機２へ入力する信号は、所謂テレビ信号（映像信号および／または音声信号）であればよい。つまり、本発明では、ビデオの再生やＤＶＤの再生等によりテレビ３から出力されるテレビ信号であってもよい。したがって、この場合には、テレビチューナは必須の構成要素ではなく、上記テレビ信号が出力できる構成であればよい。
【０１８８】
さらに、上記ＩＲ送信部２１からの赤外線信号により、テレビチャンネル切換えを行う場合と同様に、第１の携帯電話機２から、テレビチューナの代わりにビデオ装置やＤＶＤ装置等の外部機器に対して、ビデオやＤＶＤ等の再生用信号を出力し、外部機器から出力されるテレビ信号を第１の携帯電話機２を経由して第２の携帯電話機４へ送信する構成としてもよい。このことにより、第２の携帯電話機４を持つユーザが、第１の携帯電話機２と外部機器とを用いて、遠隔操作によりテレビ信号（テレビ放送、ビデオ、ＤＶＤ等の映像信号および音声信号）に基づく映像および音声を鑑賞することができる。
【０１８９】
また、上記の説明においては、チューナ部３１から出力される信号がアナログ信号であり、かつ、チューナ部３１と第１の携帯電話機２との接続が有線による場合を例に挙げて説明したが、これに限定されるものではない。
【０１９０】
例えば、チューナ部３１から出力される信号がアナログ信号であり、かつ、チューナ部３１と第１の携帯電話機２との接続が無線によるものであってもよい。この場合には、ＩＦ部２４において所定の処理としてＡ／Ｄ変換および無線信号処理を行えばよい。
【０１９１】
また、チューナ部３１から出力される信号がデジタル信号であり、かつ、チューナ部３１と第１の携帯電話機２との接続が無線によるものであってもよい。この場合には、ＩＦ部２４において所定の処理として無線信号処理を行えばよい。
【０１９２】
また、チューナ部３１から出力される信号がデジタル信号であり、かつ、チューナ部３１と第１の携帯電話機２との接続が有線によるものであってもよい。この場合には、チューナ部３１から出力される信号は既にデジタル化されており、かつ、無線信号処理の必要もないため、ＩＦ部２４において、上記のような所定の処理を特に処理を行う必要はない。
【０１９３】
また、上記の実施形態では、認証部６２において電話番号を用いて認証を行ったが、これに限定されるものではなく、他の携帯電話機を識別できるＩＤ情報（他の携帯電話機を個々に特定可能な識別情報）を用いて認証を行える構成であればよい。例えば、パスワードや、指紋情報を用いて認証を行ってもよい。これらの場合には、電話番号データベース部１４の代わりに、パスワード記憶部、指紋情報記憶部を設ければよい。なお、指紋情報を用いる場合には、第１の携帯電話機２および第２の携帯電話機４とも指紋情報を処理できる構成を、携帯電話機内に別途備えておく必要がある。しかしながら、指紋情報を用いる場合には、情報の機密性が高くなるという利点がある。
【０１９４】
さらに、上記第１の携帯電話機２において電話番号の認証を行わないで、全ての他の携帯電話機に対して、チューナ部３１から得られた映像信号および音声信号に基づくＡＶストリームデータを送信する構成としてもよい。
【０１９５】
以上のように、本実施の形態に係る第１の携帯電話機２は、映像信号に関しては、外部のチューナ部（テレビチューナ）３１から映像信号を逐次受信するチューナ信号受信部（第１受信手段）２２と、チューナ信号受信部２２で受信した映像信号を符号化する映像エンコード部（映像信号符号化手段）５１と、映像エンコード部５１で符号化された映像信号を、第２の携帯電話機（他のビデオ電話機能付携帯電話機）４に逐次送信する送信部（送信制御部６５、アンテナ部１１、および、無線処理部１２）（送信手段）とを備えるものである。
【０１９６】
この構成により、チューナ信号受信部２２により、外部のチューナ部３１から映像信号を逐次受信できる。これにより、テレビ放送の映像信号を、逐次、第１の携帯電話機２にて取得できる。そして、映像エンコード部５１により、上記映像信号を、第２の携帯電話機４に送信可能となるデータ形式に変換できる。さらに、送信制御部６５、アンテナ部１１、および無線処理部１２により、上記符号化された映像信号を、第２の携帯電話機４に逐次送信することができる。それゆえ、チューナ部３１の映像信号に基づく信号を、逐次、第２の携帯電話機４に対して送信することができる。したがって、第２の携帯電話機４にて、リアルタイムでテレビ放送の映像を視ることが可能となる。
【０１９７】
また、音声信号を考慮すると、上記チューナ信号受信部２２は、さらに、チューナ部３１から音声信号を逐次受信すると共に、チューナ信号受信部２２で受信した音声信号を符号化する音声エンコード部（音声信号符号化手段）５２を備え、上記送信部は、音声エンコード部５２で符号化された音声信号と、映像エンコード部５１で符号化された映像信号とを多重化した多重化信号を、第２の携帯電話機４に逐次送信するものである。
【０１９８】
この場合には、第１の携帯電話機２は、テレビチューナの映像信号および音声信号に基づく信号を、逐次、第２の携帯電話機４に対して送信することができる。したがって、第２の携帯電話機にて、リアルタイムでテレビ放送が視聴可能となる。
【０１９９】
また、本実施の形態に係る第１の携帯電話機２は、外部のチューナ部３１から映像信号および音声信号を逐次受信するチューナ信号受信部２２と、チューナ信号受信部２２で受信した映像信号を符号化する映像エンコード部（映像信号符号化手段）５１と、チューナ信号受信部２２で受信した音声信号を符号化する音声エンコード部（音声信号符号化手段）５２と、映像エンコード部５１で符号化された映像信号と、音声エンコード部５２で符号化された音声信号とを多重化する多重化処理部５３と、多重化処理部で多重化された多重化信号を、第２の携帯電話機４に逐次送信する送信部とを備える構成とも言える。
【０２００】
また、以上のように、上記チューナ信号受信部２２は、外部のチューナ部３１から受信した映像信号および音声信号に対して、所定の信号処理を行うＩＦ部（インターフェイス手段）２４を備える構成である。
【０２０１】
それゆえ、外部のチューナ部３１から逐次受信する映像信号および音声信号がアナログ信号の場合であって、かつ、チューナ部３１との接続が有線による場合には、ＩＦ部２４において所定の処理としてＡ／Ｄ変換を行うことにより、映像信号に基づくデジタルデータを得ることができる。それゆえ、映像エンコード部５１で符号化が可能となる。
【０２０２】
また、外部のチューナ部３１から逐次受信する映像信号および音声信号がアナログ信号の場合であって、かつ、チューナ部３１との接続が無線による場合には、ＩＦ部２４において所定の処理としてＡ／Ｄ変換および無線信号処理を行うことにより、同様に、映像エンコード部５１で符号化が可能となる。
【０２０３】
また、外部のチューナ部３１から逐次受信する映像信号および音声信号がデジタル信号の場合であって、かつ、チューナ部３１との接続が無線による場合には、ＩＦ部２４において所定の処理として無線信号処理を行うことにより、同様に、映像エンコード部５１で符号化が可能となる。
【０２０４】
また、本実施の形態に係る第１の携帯電話機２は、以上のように、他の携帯電話機から発信されたデータ信号を受信する第２受信部（アンテナ部１１、無線処理部１２、および、受信制御部６１）（第２受信手段）を備え、第２受信部が上記データ信号を受信した場合に、上記送信部は、上記多重化信号を他の携帯電話機に送信する構成である。
【０２０５】
それゆえ、他の携帯電話機から着信があれば、他の携帯電話機でテレビ放送の視聴が可能となる。したがって、他の携帯電話機からビデオ電話をかけるだけで、他の携帯電話機でテレビ放送の視聴が可能となる。
【０２０６】
また、本実施の形態に係る第１の携帯電話機２は、以上のように、第２受信部で受信した前記データ信号から、他の携帯電話機を個々に特定可能な識別情報を取得して、この取得した識別情報に基づいて前記他の携帯電話機が所定の携帯電話機であるかを認証する認証部（認証手段）６２を備え、認証部６２で所定の携帯電話機であると認証された場合に、上記送信部は、上記多重化信号を他の携帯電話機に送信する構成である。
【０２０７】
それゆえ、所定の他の携帯電話機のみが、テレビ放送を視聴可能となる。したがって、テレビ放送が受信可能となる携帯電話機の台数や、利用者を制限できる。
【０２０８】
また、本実施の形態に係る第１の携帯電話機２は、以上のように、チューナ部３１に対して、チューナ部３１の動作に関する指示データを送信する動作指示部（ＩＲ制御部６３およびＩＲ送信部２１）（動作指示手段）を備える構成である。なお、上記動作に関する指示としては、チューナ部３１の電源のＯＮや、チャネルの切換え、そして、後述する、チューナ部３１の電源のＯＦＦが挙げられる。さらには、音声の切換え、明るさの調整も挙げられる。
【０２０９】
それゆえ、第１の携帯電話機２から、チューナ部３１に対して、チューナ部３１の電源のＯＮ／ＯＦＦ制御、チャンネルの切換え、音声の切換え、あるいは、明るさの調整といった指示データを送信することができる。したがって、第１の携帯電話機２から、チューナ部３１の操作を行うことができる。
【０２１０】
また、本実施の形態に係る第１の携帯電話機２は、以上のように、上記第２受信部（第２受信手段）が、他の携帯電話機からテレビチャネルの切換えに関するデータ信号を受信したとき、上記動作指示部が、受信したデータに応じて、テレビチャネルを切換える指示を含む指示データを出す構成でもある。
【０２１１】
それゆえ、他のビデオ電話機能付携帯電話機において、チャンネルの切換えが可能となり、他のビデオ電話機能付携帯電話機において、好みの番組を視聴することができる。
【０２１２】
また、本実施の形態に係る第１の携帯電話機２は、上記第２受信部（第２受信手段）が、他の携帯電話機より上記データ信号を受信したとき、上記動作指示部（動作指示手段）が、チューナ部３１の電源をオンする指示を含む指示データを送信する構成である。それゆえ、予め、チューナ部３１の電源を入れておく必要がなくなり、チューナ部３１において省電力化を図れる。
【０２１３】
また、本実施の形態に係る第１の携帯電話機２は、以上のように、第２受信部が、他の携帯電話機より上記データ信号を受信しなくなったとき、上記動作指示部が、チューナ部３１の電源をオフする指示を含む指示データを送信する構成とすることが好ましい。この場合には、テレビチューナの電源を自動オフすることができ、テレビチューナにおいて省電力化を図れることとなる。
【０２１４】
また、本実施の形態に係る第１の携帯電話機２は、以上のように、少なくとも、他の携帯電話機からの映像信号に基づいて画像を表示する表示部（表示手段）１６と、少なくとも、上記他の携帯電話機からの音声信号に基づいて音声を出力する音声出力部（音声出力手段）１７と、上記映像信号に基づく画像の表示、および、上記音声信号に基づく音声の出力を行うか否かを制御するＡＶ出力制御部（出力制御手段）６４とを備える構成である。
【０２１５】
それゆえ、ＡＶ出力制御部６４により、映像信号に基づく画像の表示、および、音声信号に基づく音声の出力を行うか否かを制御できる。したがって、他の携帯電話機にてテレビ放送を視たり、聴いたりする際には、チューナ部３１に接続された携帯電話機では、映像信号に基づく画像の表示および前記音声信号に基づく音声の出力は必要ないため、これらの表示および音声の出力を停止することで、省電力化を図ることが可能となる。
【０２１６】
また、上記実施の形態においては、第１の携帯電話機２が、チューナ部３１からテレビ放送の映像信号および音声信号を取得する構成を例に挙げて説明したが、第１の携帯電話機２が、ビデオ装置やＤＶＤ装置等の外部機器から、映像信号や音声信号を取得する場合には、第１の携帯電話機２は、以下の構成を備えているといえる。なお、以下では、チューナ信号受信部（第１受信手段）２２に相当する部材を第１受信部と称する。
【０２１７】
つまり、第１の携帯電話機２は、映像信号に関しては、外部から映像信号を逐次受信する第１受信部と、第１受信部で受信した映像信号を符号化する映像エンコード部（映像信号符号化手段）５１と、映像エンコード部５１で符号化された映像信号を、第２の携帯電話機（他のビデオ電話機能付携帯電話機）４に逐次送信する送信部（送信制御部６５、アンテナ部１１、および、無線処理部１２）（送信手段）とを備えるものといえる。
【０２１８】
この構成により、第１受信部により、外部から映像信号を逐次受信できる。これにより、上記映像信号を、逐次、第１の携帯電話機２にて取得できる。そして、映像エンコード部５１により、上記映像信号を、第２の携帯電話機４に送信可能となるデータ形式に変換できる。さらに、送信制御部６５、アンテナ部１１、および無線処理部１２により、上記符号化された映像信号を、第２の携帯電話機４に逐次送信することができる。それゆえ、外部からの映像信号に基づく信号を、逐次、第２の携帯電話機４に対して送信することができる。したがって、第２の携帯電話機４にて、リアルタイムで映像を視ることが可能となる。
【０２１９】
また、音声信号を考慮すると、上記第１受信部２２は、さらに、外部から音声信号を逐次受信すると共に、第１受信部で受信した音声信号を符号化する音声エンコード部（音声信号符号化手段）５２を備え、上記送信部は、音声エンコード部５２で符号化された音声信号と、映像エンコード部５１で符号化された映像信号とを多重化した多重化信号を、第２の携帯電話機４に逐次送信するものといえる。
【０２２０】
この場合には、第１の携帯電話機２は、外部の映像信号および音声信号に基づく信号を、逐次、第２の携帯電話機４に対して送信することができる。したがって、第２の携帯電話機にて、リアルタイムでテレビ放送の映像および音声が視聴可能となる。
【０２２１】
〔実施の形態２〕
本発明の他の実施の形態について図６および図７に基づいて説明すれば、以下のとおりである。なお、説明の便宜上、前記の実施の形態１の図面に示した部材と同一の機能を有する部材については、同一の符号を付し、その説明を省略する。
【０２２２】
図６は、本発明の実施形態に係る通信システム１’の概略構成を示した概略図である。上記通信システム１’は、同図に示すとおり、第１のテレビ電話機能付携帯電話機（ビデオ電話機能付情報機器）２’、テレビ３、第２のテレビ電話機能付携帯電話機（他のビデオ電話機能付情報機器）４、および、クレードル５を備えている。なお、以下では、第１のテレビ電話機能付携帯電話機２’および第２のテレビ電話機能付携帯電話機４を、それぞれ、第１の携帯電話機２’、第２の携帯電話機４として記載する。
【０２２３】
上記通信システム１’においても、実施の形態１と同様、第２の携帯電話機４から第１の携帯電話機２’に対してテレビ電話をかけ、両携帯電話機（２’・４）間で携帯電話通信網を用いた通信を行う。また、第１の携帯電話機２’とテレビ３とは、クレードル５を介して、互いに通信可能に接続されている。なお、テレビ３とクレードル５との間における接続方法としては、有線でも無線であってもよい。また、詳細については後述するが、テレビ３は、クレードル５を介して、第１の携帯電話機２’に対して、映像信号および音声信号を送信する構成となっている。なお、以下の説明においては、テレビ３とクレードル５とが、有線で接続されている場合について説明する。
【０２２４】
図７は、上記通信システム１’における第１の携帯電話機２’、テレビ３、および、クレードル５の機能ブロック図である。
【０２２５】
上記第１の携帯電話機２’は、同図に示すとおり、アンテナ部１１、無線処理部１２、制御部１３、電話番号データベース部１４、ＡＶコーデック部１５、表示部（表示手段）１６、音声出力部（音声出力手段）１７、撮影部１８、音声入力部１９、操作部２０、ＩＲ（Infrared）送信部２１、および、チューナ信号受信部（第１受信手段）２２’を備えている。また、チューナ信号受信部２２’は、コネクタ部２３のみを備えている。
【０２２６】
つまり、実施の形態１における第１の携帯電話機２と比較すると、本実施の形態における第１の携帯電話機２’は、ＩＦ部２４を有しない構成となっている。その他は、実施の形態１における第１の携帯電話機２と同じ構成である。
【０２２７】
テレビ３は、実施の形態１と同様、チューナ部３１、表示部３２、および、音声出力部３３を備えている。また、上記チューナ部３１は、ＩＲ受信部３４を備えている。
【０２２８】
上記クレードル５は、第１コネクタ部７１、ＩＦ（Interface）部７２、および、第２コネクタ部７３を備えている。なお、クレードル５とは、スタンド型のドッキング・ステーションのことである。このクレードル５の上に第１の携帯電話機２’を載せて利用する。本実施の形態では、ケーブルを介してテレビ３と接続し、テレビからの映像信号および音声信号の受信や、第１の携帯電話機２’の充電などを行う目的で使用する。なお、クレードルの特徴としては、ケーブルで接続するより安定感があり、ユーザ側の手順が簡単であるという点が挙げられる。
【０２２９】
第１コネクタ部７１は、テレビ３のチューナ部３１から、映像信号および音声信号を、クレードル５のＩＦ部７２に入力するために設けられている。また、ＩＦ部７２は、上記コネクタからの映像信号および音声信号に対して所定の処理を行う。また、ＩＦ部７２は、所定の処理を行った後は、逐次映像信号および音声信号に基づくデータを、第２コネクタ部７３を介して、第１の携帯電話機２’に対して送信する。
【０２３０】
例えば、上記チューナ部３１から第１コネクタ部７１を介して得られる映像信号および音声信号がアナログ信号である場合には、ＩＦ部７２は、このアナログ信号に対してＡ／Ｄ変換を行い、Ａ／Ｄ変換によりデジタル化されたデータを送信する。
【０２３１】
第２コネクタ部７３は、ケーブルを介して、ＩＦ部７２からのデータを第１の携帯電話機２’のコネクタ部２３と接続するために設けられている。そして、本実施の形態では、第２コネクタ部７３と第１の携帯電話機２’のコネクタ部２３とを、実施の形態１同様に、ＲＧＢケーブルにて接続している。なお、これに限定されず、ＵＳＢケーブルであってもよい。これらは、第２コネクタ部７３のコネクタ形状、第１の携帯電話機２’におけるコネクタ部２３のコネクタ形状に応じて適宜選択すればよい。また、第２コネクタ部７３とコネクタ部２３との間にＲＧＢ方式からＵＳＢ方式に変換する変換アダプタを設置して、第２コネクタ部７３とコネクタ部２３とを接続してもよい。
【０２３２】
また、上記第１の携帯電話機２’では、コネクタ部２３を介して得られた映像信号および音声信号に基づくデータが、直接、ＡＶコーデック部１５に入力される。つまり、上記映像信号および音声信号に基づくデータは、実施の形態１と異なり、ＩＦ部２４を介することなく、直接、ＡＶコーデック部１５に入力される。これは、クレードル５のＩＦ部７２において、チューナ部３１からの映像信号および音声信号に対して、所定の信号処理を既に行っているため、第１の携帯電話機’では、上記所定の信号処理が必要ないからである。
【０２３３】
このように、本実施の形態では、クレードル５を第１の携帯電話機２’とテレビ３との間に設けると共に、第１の携帯電話機２’で所定の信号処理を行わずに、クレードル５において所定の信号処理を行う構成となっている。この点が、上記実施の形態１と異なる点である。
【０２３４】
また、第１の携帯電話機２’において行われるデータ処理の内容、第２の携帯電話機４と第１の携帯電話機２’との間での通信、並びに、第１の携帯電話機２’とテレビ３との間における、ＩＲ送信部２１、ＩＲ制御部６３、およびＩＲ受信部３４を用いた赤外線通信に関しては、実施の形態１と同様である。このため、これらの説明については、省略する。
【０２３５】
次に、上記通信システム１における第１の携帯電話機２’の通信フローについて説明する。ここで、上記通信フローは、基本的には、上記実施の形態１で示したフローと同じであるため、異なる点のみを説明する。
【０２３６】
上記実施の形態１では、Ｓ１２の後は、チューナ信号受信部２２が、テレビ３のチューナ部３１から、テレビ放送の映像信号および音声信号を取得した（Ｓ１３）。そして、Ｓ１３の後は、ＩＦ部２４が、上記映像信号および音声信号に対して、Ａ／Ｄ変換処理を行い、両信号をデジタル化した（Ｓ１４）。さらに、Ｓ１４の後は、映像エンコード部５１が、上記デジタル化された映像信号（以下、映像データ）に対して符号化処理を行うと共に、音声エンコード部５２が、上記デジタル化された音声信号（以下、音声データ）に対して符号化処理を行った（Ｓ１５）。
【０２３７】
本実施の形態では、上記Ｓ１３の処理の代わりに、チューナ信号受信部２２’が、クレードル５から、テレビ放送の映像信号および音声信号を取得する。そして、上記Ｓ１４の処理を行わずに、上記Ｓ１５の処理を行う。これは、既にクレードル５のＩＦ部７２が、上記Ｓ１４に相当する処理、つまり、映像信号および音声信号に対して、Ａ／Ｄ変換処理を行って、両信号をデジタル化しているためである。そして、Ｓ１５の処理の後は、実施の形態１のＳ１６からＳ２０の各処理がなされることとなる。
【０２３８】
以上のように、チューナ部３１から出力される映像信号および音声信号がアナログ信号の場合であって、かつ、チューナ部３１とクレードル５との接続が有線による場合には、クレードルにおいて所定の処理としてＡ／Ｄ変換を行うことにより、映像信号および音声信号に基づくデジタルデータを、第１の携帯電話機２’で得ることができる。それゆえ、第１の携帯電話機２’にてＡ／Ｄ変換を行う必要がなくなる。したがって、第１の携帯電話機２’の小型化が図れる。
【０２３９】
また、上記の説明においては、チューナ部３１からの出力をクレードル５経由で第１の携帯電話機２’に入力し、第２の携帯電話機４に送信することになっている。しかし、上述した実施形態１と同様に、第１の携帯電話機２’へ入力する信号は、所謂テレビ信号（映像信号及び又は音声信号）であればよい。つまり、本発明では、ビデオの再生やＤＶＤの再生等によりテレビ３から出力されるテレビ信号であってもよい。したがって、この場合には、テレビチューナは必須の構成要素ではなく、上記テレビ信号が出力できる構成であればよい。
【０２４０】
さらに、実施の形態１と同様に、第１の携帯電話機２’から、テレビチューナの代わりにビデオ装置やＤＶＤ装置等の外部機器に対して、ビデオやＤＶＤ等の再生用信号を出力し、外部機器から出力されるテレビ信号を第１の携帯電話機２’を経由して第２の携帯電話機４へ送信する構成としてもよい。このことにより、第２の携帯電話機４を持つユーザが、第１の携帯電話機２’と外部機器とを用いて、遠隔操作によりテレビ信号（テレビ放送、ビデオ、ＤＶＤ等の映像信号および音声信号）に基づく映像および音声を鑑賞することができる。
【０２４１】
また、上記の実施の形態においては、第１の携帯電話機２’とクレードルとをケーブル（有線）で接続したが、これに限定されるものではない。第１の携帯電話機２’とクレードル５との間の通信を無線通信によって行ってもよい。この場合、第１の携帯電話機２’ではコネクタ部２３が必要でなくなり、第１の携帯電話機２’の小型化を図れる。また、クレードル５では第２コネクタ部が必要でなくなる。なお、この場合には、第１の携帯電話機２’に、クレードルから送信される無線データを処理する無線処理部が別途設けておく。
【０２４２】
ところで、上記の説明においては、チューナ部３１から出力される信号がアナログ信号であり、かつ、チューナ部３１とクレードル５との接続が有線による場合について説明したが、これに限定されるものではない。
【０２４３】
例えば、チューナ部３１から出力される映像信号および音声信号がアナログ信号の場合であって、かつ、チューナ部３１とクレードル５との接続が無線による場合には、クレードルにおいて所定の処理としてＡ／Ｄ変換および無線信号処理を行うことにより、映像信号および音声信号に基づくデジタルデータを、第１の携帯電話機２’で得ることができる。それゆえ、この場合には、第１の携帯電話機２’にてＡ／Ｄ変換および無線信号処理を行う必要がなくなる。
【０２４４】
また、チューナ部３１から出力される映像信号および音声信号がデジタル信号の場合であって、かつ、チューナ部３１とクレードル５との接続が無線による場合には、クレードル５において所定の処理として無線信号処理を行うことにより、第１の携帯電話機２’にて無線信号処理を行う必要がなくなる。
【０２４５】
いずれにしても、クレードル５で所定の信号処理をさせておくことにより、第１の携帯電話機２’で所定の信号処理が不要となり、第１の携帯電話機２’の小型化が図れる。
【０２４６】
また、クレードル５により第１の携帯電話機２’に対して電源供給も行うことにより、第１の携帯電話機２’のバッテリー切れが生じることがない。したがって、第２の携帯電話機４で長時間に渡り安定してテレビ放送の視聴が可能となるビデオ電話機能付携帯電話機を提供することができる。さらに、第１の携帯電話機２’がバッテリー充電中のような状態、つまり、第１の携帯電話機２’の動作が限定されるような場合であっても、第２の携帯電話機４によりテレビ放送を視聴できる。
【０２４７】
なお、チューナ部３１から出力される信号がデジタル信号であり、かつ、チューナ部３１と第１の携帯電話機２との接続が有線によるものであってもよい。この場合には、チューナ部３１から出力される信号は既にデジタル化されており、かつ、無線信号処理の必要もないため、ＩＦ部２４において、上記のような所定の処理を特に処理を行う必要はない。
【０２４８】
また、上記実施の形態１および２で示したテレビ３として、第１の携帯電話機（２・２’）からの着信を表示させる機能を持たせたテレビを利用してもよい。この場合には、テレビを見ている第３者が、第２の携帯電話機４から着信があったことを判断できる。
【０２４９】
さらに、上記実施の形態１および２における第１の携帯電話機（２・２’）の各ブロック、特に制御部１３は、ハードウェアロジックによって構成してもよいし、次のようにＣＰＵを用いてソフトウェアによって実現してもよい。
【０２５０】
すなわち、第１の携帯電話機（２・２’）は、各機能を実現する制御プログラムの命令を実行するＣＰＵ（central processing unit ）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである第１の携帯電話機（２・２’）の制御プログラムのプログラムコード（実行形式プログラム、中間コードプログラム、ソースプログラム）をコンピュータで読み取り可能に記録した記録媒体を、上記第１の携帯電話機（２・２’）に供給し、そのコンピュータ（またはＣＰＵやＭＰＵ）が記録媒体に記録されているプログラムコードを読み出し実行することによっても、達成可能である。
【０２５１】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０２５２】
また、第１の携帯電話機（２・２’）を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【０２５３】
最後に、上記実施の形態では、両ビデオ電話機能付情報機器が携帯電話機である場合を例に挙げて説明したが、例えば、ＰＣカード型のＦＯＭＡ（登録商標）をＰＤＡやノート型パーソナルコンピュータに装着して、これらＰＤＡやノート型パーソナルコンピュータを上記情報機器として利用してもよい。
【産業上の利用可能性】
【０２５４】
本発明のビデオ電話機能付情報機器は、テレビ電話機能を有するＰＤＡやパーソナルコンピュータ等に適応可能である。
【図面の簡単な説明】
【０２５５】
【図１】本実施の形態に係る第１の携帯電話機におけるＡＶコーデック部の機能ブロック図である。
【図２】本発明の実施形態に係る通信システムの概略構成を示した概略図である
【図３】上記通信システムにおける第１の携帯電話機およびテレビの機能ブロック図である。
【図４】上記第１の携帯電話機における制御部１３の機能ブロック図である。
【図５】上記通信システムの第１の携帯電話機２における通信フローを示したフローチャートである。
【図６】本発明の実施形態に係る他の通信システムの概略構成を示した概略図である。
【図７】上記他の通信システムにおける第１の携帯電話機、テレビ、および、クレードルの機能ブロック図である。
【符号の説明】
【０２５６】
１・１’  通信システム
２  第１の携帯電話機（ビデオ電話機能付情報機器）
３  テレビ
４  第２の携帯電話機（他のビデオ電話機能付情報機器）
５  クレードル
１１  アンテナ部
１２  無線処理部
１３  制御部
１４  電話番号データベース部
１５  ＡＶコーデック部
１６  表示部（表示手段）
１７  音声出力部（音声出力手段）
２１  ＩＲ送信部
２２・２２’  チューナ信号受信部（第１受信手段）
２３  コネクタ部
２４  ＩＦ部（インターフェイス手段）
３１  チューナ部（信号出力装置）
３４  ＩＲ受信部
５１  映像エンコード部（映像信号符号化手段）
５２  音声エンコード部（音声信号符号化手段）
５３  多重化処理部
６１  受信制御部
６２  認証部（認証手段）
６３  ＩＲ制御部
６４  ＡＶ出力制御部（出力制御手段）
６５  送信制御部
７１  第１コネクタ部
７２  ＩＦ部
７３  第２コネクタ部
【図１】
2005151443.tif 000003
【図２】
2005151443.tif 000004
【図３】
2005151443.tif 000005
【図４】
2005151443.tif 000006
【図５】
2005151443.tif 000007
【図６】
2005151443.tif 000008
【図７】
2005151443.tif 000009